(57)【特許請求の範囲】
【請求項１】
ルーフィング３上に所定間隔を置いて、両端にほぼ垂直折曲部５ａ，５ａとその先端部に外方折曲部５ｂ，５ｂを形成した瓦棒溝部材５を固定し、前記外方折曲部５ｂ，５ｂに長尺の防水シート９の両縁部に設けた剛体部材９ａ，９ａを接合して長尺の防水シート９を設け、前記瓦棒溝部材５の垂直折曲部５ａ，５ａの先端部の外方折曲部５ｂ，５ｂに、鋼板屋根４，４の端に形成したほぼ垂直折曲部４ａ，４ａの先端部の凹折曲部４ｂ，４ｂを嵌合し、この凹折曲部４ｂ，４ｂの反対面に形成された凸折曲部４ｂ′，４ｂ′に、瓦棒蓋部材８の両端の垂下折曲部８ａ，８ａに形成された凹折曲部８ｂ，８ｂを嵌合するように構成したことを特徴とする鋼板屋根構造。
【請求項２】
ルーフィング３上に固定する鋼板屋根４の一部分に、所定間隔を置いたほぼ垂直折曲部４ｃ，４ｃで凹溝を形成し、この垂直折曲部４ｃ，４ｃの上端部に互いに対向するよう凹折曲部４ｄ，４ｄを形成し、この凹折曲部４ｄ，４ｄに長尺の防水シート９の両縁部に設けた剛体部材９ａ，９ａを接合して長尺の防水シート９を設け、前記凹状折曲部４ｄ，４ｄの反対面に形成された凸折曲部４ｄ′，４ｄ′に、瓦棒蓋部材８の両端の垂下折曲部８ａ，８ａに形成された凹折曲部８ｂ，８ｂを嵌合するように構成したことを特徴とする鋼板屋根構造。
【発明の詳細な説明】
【０００１】
【発明の属する技術分野】
この発明は、鋼板屋根間の連結部や鋼板屋根の母屋等への取付部材への雨水の浸水を防止するよにした鋼板屋根構造に関するものである。
【０００２】
【従来の技術】
図３は従来の鋼板屋根間の連結および母屋等への取付部を示す図で、（ａ）図は鋼板屋根の連結部に瓦棒蓋部材を取り付ける前の正面図で、（ｂ）図は鋼板屋根の連結部に瓦棒蓋部材を取り付けた正面図で、図４は鋼板屋根で葺かれた屋根の一部を示す図であり、１は母屋、２はこの母屋１の上に配設した断熱材、３はこの断熱材２の上に配設したルーフィングである。
４，４はこのルーフィング３の上に葺いた鋼板屋根で、この鋼板屋根４，４の端に、ほぼ垂直折曲部４ａ，４ａを形成するとともに、この垂直折曲部４ａ，４ａの先端部に凹折曲部４ｂ，４ｂが互いに対向するように形成されている。
【０００３】
５は両端にほぼ垂直折曲部５ａ，５ａとその先端部に外方折曲部５ｂ，５ｂを形成した瓦棒溝部材で、この瓦棒溝部材５をルーフィング３の上に、鋼板屋根４を連結して固定する位置に対応して所定間隔を置いて固定する。その固定手段は前記母屋１と断熱材２とルーフィング３を貫通させて突出させたボルト６に瓦棒溝部材５の底面を貫通し、ボルト６の先端部にナット７を締め付けて行う。
【０００４】
そして、鋼板屋根４，４をルーフィング３の上に葺くには、ルーフィング３の上に前記のように固定した瓦棒溝部材５の垂直折曲部５ａ，５ａの先端部の外方折曲部５ｂ，５ｂに、鋼板屋根４，４の端に形成した垂直折曲部４ａ，４ａの先端部の凹折曲部４ｂ，４ｂを嵌合し、さらに、鋼板屋根４，４の垂直折曲部４ａ，４ａの先端部の凹折曲部４ｂ，４ｂの反対面に形成された凸折曲部４ｂ′，４ｂ′に、瓦棒蓋部材８の両端の垂下折曲部８ａ，８ａに形成した凹折曲部８ｂ，８ｂを嵌合して瓦棒蓋部材８を取り付ける。
【０００５】
【発明が解決しようとする課題】
前記のような従来の鋼板屋根構造においては、前記鋼板屋根４，４の端の垂直折曲部４ａ，４ａの先端部の凸折曲部４ｂ′，４ｂ′と、瓦棒蓋部材８の両端の垂下折曲部８ａ，８ａに形成した凹折曲部８ｂ，８ｂとの嵌合部に、毛細管現象によって雨水が浸入し、さらに、前記瓦棒溝部材５をルーフィング３上に固定したボルト６部に雨水が浸入して、このボルト６を腐食させ、さらに、ボルト６が貫通した孔からルーフィング３に雨水が浸入して、雨漏りの原因になる等の恐れがあった。
この発明は、鋼板屋根間を連結した連結部や鋼板屋根をルーフィングに固定したボルト、あるいは鋼板屋根の端部間を固定するためルーフィングに瓦棒溝部材を固定したボルト部に雨水が絶対に浸入しないような鋼板屋根構造を提供することを目的としたものである。
【０００６】
【課題を解決するための手段】
この発明は、前記目的を達成するため、ルーフィング３上に所定間隔を置いて、両端にほぼ垂直折曲部５ａ，５ａとその先端部に外方折曲部５ｂ，５ｂを形成した瓦棒溝部材５を固定し、前記外方折曲部５ｂ，５ｂに長尺の防水シート９の両縁部に設けた剛体部材９ａ，９ａを接合して長尺の防水シート９を設け、前記瓦棒溝部材５の垂直折曲部５ａ，５ａの先端部の外方折曲部５ｂ，５ｂに、鋼板屋根４，４の端に形成したほぼ垂直折曲部４ａ，４ａの先端部の凹折曲部４ｂ，４ｂを嵌合し、この凹折曲部４ｂ，４ｂの反対面に形成された凸折曲部４ｂ′，４ｂ′に、瓦棒蓋部材８の両端の垂下折曲部８ａ，８ａに形成された凹折曲部８ｂ，８ｂを嵌合するように構成したことを特徴とする鋼板屋根構造としたものである。
【０００７】
また、ルーフィング３上に固定する鋼板屋根４の一部分に、所定間隔を置いたほぼ垂直折曲部４ｃ，４ｃで凹溝を形成し、この垂直折曲部４ｃ，４ｃの上端部に互いに対向するように凹折曲部４ｄ，４ｄを形成し、この凹折曲部４ｄ，４ｄに長尺の防水シート９の両縁部に設けた剛体部材９ａ，９ａを接合して長尺の防水シート９を設け、前記凹状折曲部４ｄ，４ｄの反対面に形成された凸折曲部４ｄ′，４ｄ′に、瓦棒蓋部材８の両端の垂下折曲部８ａ，８ａに形成された凹折曲部８ｂ，８ｂを嵌合するように構成したことを特徴とする鋼板屋根構造としたものである。
【０００８】
【発明の実施の形態】
以下、この発明の鋼板屋根構造の実施の形態について詳細に説明するが、この発明はこの実施の形態に限定されるものではなく、その実施の形態を多少変えるように設計変更することは可能である。
【０００９】
図１はこの発明の鋼板屋根構造の第１の実施の形態を示す図で、（ａ）図は鋼板屋根の連結部を瓦棒蓋部材で覆う前の正面図、（ｂ）図は鋼板屋根の連結部を瓦棒蓋部材で覆った正面図、（ｃ）図は長尺の防水シートの一部を示す斜視図であり、従来例と同様に、１は母屋、２はこの母屋１の上に配設した断熱材、３はこの断熱材２の上に配設したルーフィング、４，４はこのルーフィング３の上に葺いた鋼板屋根で、この鋼板屋根４，４の端には、ほぼ垂直折曲部４ａ，４ａと、この垂直折曲部４ａ，４ａの両先端部に互いに対向する凹折曲部４ｂ，４ｂが形成されている。
【００１０】
５は両端にほぼ垂直折曲５ａ，５ａとその先端部に外方折曲部５ｂ，５ｂを形成した瓦棒溝部材で、この瓦棒溝部材５をルーフィング３の上に固定するには、前記母屋１と断熱材２とルーフィング３を貫通させて突出させたボルト６に瓦棒溝部材５の底面を貫通し、このボルト６の先端部にナット７を締め付けて行う。
【００１１】
そして、鋼板屋根４，４をルーフィング３の上に葺くには、ルーフィング３の上に前記のように固定した瓦棒溝部材５の垂直折曲部５ａ，５ａの先端部の外方折曲部５ｂ，５ｂに、鋼板屋根４，４の端に形成した垂直折曲部４ａ，４ａの先端部に互いに対向して形成されて凹折曲部４ｂ，４ｂを嵌合し、前記瓦棒溝部材５の垂直折曲部５ａ，５ａの先端部の外方折曲部５ｂ，５ｂと、鋼板屋根４，４の端に形成した垂直折曲部４ａ，４ａの先端部の凹折曲部４ｂ，４ｂとに挟んで長尺の防水シート９の両縁部に設けた剛体部材９ａ，９ａを挟持接合して長尺の防水シート９を設け、さらに、鋼板屋根４，４の垂直折曲部４ａ，４ａの先端部に互いに対向して形成されて凹折曲部４ｂ，４ｂの反対面に形成された凸折曲部４ｂ′，４ｂ′に、瓦棒蓋部材８の垂下折曲部８ａ，８ａに形成した凹折曲部８ｂ，８ｂを嵌合して瓦棒蓋部材８を取り付けるように構成したものである。
【００１２】
図２はこの発明の鋼板屋根構造の第２の実施の形態を示す図で、この第２の実施の形態は、鋼板屋根間の連結およびルーフィングへの固定は、前記第１の実施の形態と同様に行うが、幅広の鋼板屋根の中程をルーフィングに固定する場合の実施の形態であり、ルーフィング３上にボルト６・ナット７等で固定する鋼板屋根４の一部分に、所定間隔を置いたほぼ垂直折曲部４ｃ，４ｃで凹溝を形成し、その垂直折曲部４ｃ，４ｃの上端部に互いに対向するように凹折曲部４ｄ，４ｄを形成し、この凹折曲部４ｄ，４ｄに長尺の防水シート９の両縁部に設けた剛体部材９ａ，９ａを挟持接合して長尺の防水シート９を設け、前記凹状折曲部４ｄ，４ｄの反対面に形成された凸折曲部４ｄ′，４ｄ′に、瓦棒蓋部材８の両端の垂下折曲部８ａ，８ａに形成された凹折曲部８ｂ，８ｂを嵌合するように構成したものである。
【００１３】
【発明の効果】
請求項１に記載した発明は、以上説明したように、すなわち、ルーフィング上に、両端にほぼ垂直折曲部とその先端部に外方折曲部を形成した瓦棒溝部材を固定し、前記外方折曲部に長尺の防水シートの両縁部に設けた剛体部材を接合して長尺の防水シートを設けたので、ルーフィング上に固定した瓦棒溝部材と、この瓦棒溝部材に接合した鋼板屋根の端部と、この鋼板屋根の端部に接合した瓦棒蓋部材との接合部から、毛細管現象によって鋼板屋根間の連結部およびルーフィングへの固定部に、雨水が絶対に浸入しないようにすることができる。
【００１４】
また、請求項２に記載した発明は、以上説明したように、ルーフィング上に固定する鋼板屋根の一部分に、所定間隔を置いたほぼ垂直折曲部で凹溝を形成し、この垂直折曲部の上端部に互いに対向するように凹折曲部を形成し、この凹折曲部に長尺の防水シートの両縁部に設けた剛体部材を接合して長尺の防水シートを設け、前記凹状折曲部の反対面に形成された凸折曲部に、瓦棒蓋部材の両端の垂下折曲部に形成された凹折曲部を嵌合するように構成したので、鋼板屋根の一部分に形成した垂直折曲部と瓦棒蓋部材との嵌合部から、毛細管現象によって雨水が絶対に浸入しないようにすることができる。
【図面の簡単な説明】
【図１】この発明の鋼板屋根構造の第１の実施の形態を示す図である。
【図２】この発明の鋼板屋根構造の第２の実施の形態を示す図である。
【図３】従来の鋼板屋根構造を示す図である。
【図４】従来の鋼板屋根構造で葺いた屋根の一部を示す図である。
【符号の説明】
１    母屋
２    断熱材
３    ルーフィング
４    鋼板屋根
４ａ    垂直折曲部
４ｂ    凹折曲部
４ｂ′  凸折曲部
４ｃ    垂直折曲部
４ｄ    凹折曲部
４ｄ′  凸折曲部
５    瓦棒溝部材
５ａ    垂直折曲部
５ｂ    外方折曲部
６    ボルト
７    ナット
８    瓦棒蓋部材
８ａ    垂下折曲部
８ｂ    凹折曲部
９    長尺の防水シート
９ａ    剛体部材
【図１】
0003608127.tif 000002
【図２】
0003608127.tif 000003
【図３】
0003608127.tif 000004
【図４】
0003608127.tif 000005